(57)【要約】      （修正有）【課題】要求するパーティーが他のユーザの移動局の使用を制御することを可能にするシステム、装置、および方法を提供する。【解決手段】サーバは、複数の遠隔コンピュータシステムズおよび目標移動局と通信するように構成される。サーバは、遠隔通信システムのうちの１つからコンピュータサーバにアクセスする要求するパーティーを認証する（２０２）。サーバは、要求するパーティーから目標移動局の１つの選択された選択的な有効性属性を受け取る（２０６）。選択的な有効性属性は、目標移動局が操作のイネーブルされるあるいはディスエーブルされる条件、および目標移動局がイネーブルされる場合に複数の条件の下の目標移動局で利用可能な特徴を示す。サーバは、目標移動局がいつ操作可能かを決定し、目標移動局が使用可能の場合に、目標移動局へ選択的な有効性属性をダウンロードする（２１０）。【選択図】図２
2014096826.tif 000002
【特許請求の範囲】
【請求項１】
複数の遠隔コンピュータシステムズおよび目標移動局と通信するように構成されたコンピュータサーバであって、前記サーバが、メモリデバイスと前記メモリデバイスに埋め込まれたデータおよび論理命令にアクセスするように構成されるプロセッサとを含む、コンピュータサーバと、
前記遠隔通信システムのうちの１つから前記コンピュータサーバにアクセスする、要求するパーティーを認証することであって、前記要求するパーティーは、前記目標移動局の選択された１つのユーザではない、認証することと、
要求するパーティーから目標移動局の選択された１つについての選択的な有効性属性を受け取ることであって、前記選択的な有効性属性は、前記目標移動局によって操作がエーブルされあるいはディスエーブルされる条件、および目標移動局がイネーブルされる場合に、複数の条件の下で前記目標移動局において利用可能な特徴を示す、受け取ることと、
前記目標移動局がいつ使用可能であるかを決定することと、
前記目標移動局が操作可能の場合に、前記目標移動局へ前記選択的な有効性属性をダウンロードすることと
を前記プロセッサにさせるよう操作可能な論理命令を備えるシステム。
【請求項２】
前記選択的な有効性属性が前記目標移動局の前記選択された１つに成功裡にダウンロードされるかどうか示す第１のメッセージを前記目標移動局から受け取ることと、
前記選択的な有効性属性が前記目標移動局の前記選択された１つに成功裡にダウンロードされたかどうか示す第２のメッセージを前記要求するパーティーへ送ることと
を前記プロセッサにさせるよう操作可能な論理命令をさらに備える、請求項１のシステム。
【請求項３】
前記要求するパーティーが前記目標移動局の前記選択された１つに現在ダウンロードされた前記選択的な有効性属性を見て修正することを可能にすることを前記プロセッサにさせるよう操作可能な論理命令を備える請求項１のシステム。
【請求項４】
前記要求するパーティーに関連した複数の目標移動局を決定することと、
前記要求するパーティーに関連した前記目標移動局のうちの１つを選択するオプションを提供することと、
前記要求するパーティーが、複数の前記目標移動局の選択的な有効性属性と異なる選択的な有効性属性の異なるセットを指定することを可能にすることと
を前記プロセッサにさせるよう操作可能な論理命をさらに備える請求項１のシステム。
【請求項５】
前記目標移動局が、特定された速度より速く移動している間に、前記選択的な有効性属性は前記目標移動局で利用可能な特徴を制限することをさらに備える、請求項１のシステム。
【請求項６】
前記選択的な有効性属性は、特定される時間周期の間に前記目標移動局で利用可能な特徴を制限することをさらに備える請求項１のシステム。
【請求項７】
プロセッサと、
中央のサーバから選択的な有効性属性を受け取り格納することであって、前記選択的な有効性属性は、移動局によって操作がイネーブルされるかまたはディスエーブルされる条件、および目標移動局がイネーブルされる場合に、複数の条件の下で前記移動局において利用可能な特徴を示す、受け取り格納することと、
前記選択的な有効性属性が前記移動局へ成功裡にダウンロードされたかどうか示すメッセージを集中型のサーバへ送ることと
を前記プロセッサにさせるよう操作可能なコードと
を備えるコンピュータ可読媒体を備える移動局。
【請求項８】
前記移動局が選択的な有効性属性において特定された速度より速く移動している間に、前記目標移動局で利用可能な特徴を制限することを前記プロセッサにさせるよう操作可能な論理命令をさらに備える請求項７のシステム。
【請求項９】
前記選択的な有効性属性において特定された期間の間に前記移動局で利用可能な特徴を制限することを前記プロセッサにさせるよう操作可能な論理命令をさらに備える請求項７のシステム。
【請求項１０】
前記選択的な有効性属性を格納する前に認証情報を要求することを前記プロセッサにさせるよう操作可能な論理命令をさらに備える請求項７の移動局。
【請求項１１】
遠隔通信システムからコンピュータサーバにアクセスする要求するパーティーの認証することと、
前記要求するパーティーから目標移動局のための選択的な有効性属性を受取ることであって、前記要求するパーティーは、前記目標移動局のユーザではなく、目標移動局が操作をイネーブルまたはディスエーブルされる条件と、前記目標移動局がイネーブルされる場合に複数の条件の下の目標移動局において利用可能な特徴とを示し、受け取ることと、
前記目標移動局がいつ操作可能か決定することと、
前記目標移動局が操作可能の場合に、前記目標移動局へ前記選択的な有効性属性をダウンロードすること
を備えるコンピュータにより実行される方法。
【請求項１２】
前記選択的な有効性属性が前記目標移動局へ成功裡にダウンロードされるかどうか示す第１のメッセージを前記目標移動局から受け取ることと、
前記選択的な有効性属性が前記目標移動局へ成功裡にダウンロードされたかどうか示す第２のメッセージを前記要求するパーティーへ送ることをさらに含む請求項１１の方法。
【請求項１３】
前記要求するパーティーが前記目標移動局で現在ダウンロードされる前記選択的な有効性属性を見て修正することを可能にすることをさらに備える請求項１１の方法。
【請求項１４】
前記要求するパーティーに関連した複数の前記目標移動局を決定すること、
前記要求するパーティーに関連した前記目標移動局のうちの１つを選択するオプションを提供することと、
前記要求するパーティーが複数の前記目標移動局の異なる選択的な有効性属性に対して選択的な有効性属性の異なるセットを特定することを可能にすることをさらに備える請求項１１の方法。
【請求項１５】
前記選択的な有効性属性は、前記目標移動局が特定された速度より速く移動している間に前記目標移動局で利用可能な特徴を制限することをさらに備える請求項１１の方法。
【請求項１６】
前記選択的な有効性属性は、特定される時間周期の間に前記目標移動局で利用可能な特徴を制限することをさらに備える請求項１１の方法。
【請求項１７】
移動局の選択的な有効性属性を受け取り格納することであって、前記選択的な有効性は、前記移動局が操作することをイネーブルされるあるいはディスエーブルされる条件と、
目標移動局がイネーブルされる場合に、前記移動局で利用可能な特徴とを示し、前記有効性属性は要求するパーティーによって生成され、前記有効性属性は、前記移動局のユーザによって修正されあるいは削除されることができない、受け取り格納すること、
前記選択的な有効性属性が前記移動局へ成功裡にダウンロードされたかどうか示すメッセージをサーバへ送ることと
を備えるコンピュータにより実行される方法。
【請求項１８】
前記移動局が前記選択的な有効性特徴において特定される速度より速く移動している間に、前記目標移動局で利用可能な特徴を制限することさらに備える請求項１７の方法。
【請求項１９】
選択的な有効性属性において特定される時限周期において移動局で利用可能な特徴を制限することさらに備える請求項１７の方法。
【請求項２０】
前記選択的な有効性属性を格納する前に認証情報を要求することをさらに備える請求項１７の方法。
【請求項２１】
遠隔通信システムからコンピュータサーバにアクセスする要求するパーティーを確証するための手段と、
前記要求するパーティーから目標移動局に対する選択的な有効性属性を受取るための手段であって、前記選択的な有効性属性は、目標移動局が操作することがイネーブルされたかあるいはディスエーブルされる条件と、前記目標移動局がイネーブルされる場合に複数の条件の下で目標移動局において利用可能な特徴とを示す、受取るための手段と、
前記目標移動局がいつ使用可能であるかを決定するための手段と、
前記目標移動局が操作可能である場合に、前記目標移動局へ前記選択的な有効性属性をダウンロードするための手段と
を備えるコンピュータサーバ。
【請求項２２】
前記選択的な有効性属性が前記目標移動局へ成功裡にダウンロードされるかどうか示す第１のメッセージを前記目標移動局から受取るための手段と、
前記選択的な有効性属性が前記目標移動局へ成功裡にダウンロードされたかどうかを示す第２のメッセージを前記要求するパーティーへ送るための手段と
をさらに備える請求項２１のコンピュータサーバ。
【請求項２３】
前記要求するパーティーが前記目標移動局で現在ダウンロードされる前記選択的な有効性属性を見て修正することを可能にするための手段さらに備える請求項２１のコンピュータサーバ。
【請求項２４】
前記要求するパーティーに関連した複数の前記目標移動局を決定するための手段と、
前記要求するパーティーに関連した前記目標移動局のうちの１つを選択するオプションを示すための手段と、
前記要求するパーティーが目標移動局の複数の異なるもののための選択的な有効性属性の異なるセットを特定することを可能にするための手段と
を備える請求項２１のコンピュータサーバ。
【請求項２５】
前記選択的な有効性属性は前記目標移動局が特定される速度より速く移動している間に前記目標移動局で利用可能な特徴を制限することをさらに備える請求項２１のコンピュータサーバ。
【請求項２６】
前記選択的な有効性属性は特定される時間周期の間に前記目標移動局で利用可能な特徴を制限することをさらに備える請求項２１のコンピュータサーバ。
【請求項２７】
サーバから移動局の選択的な有効性属性を受取り格納するための手段であって、前記選択的な有効性は、前記移動局が操作することがイネーブルされるまたはディスエーブルされる示す条件と、前記目標移動局がイネーブルされる場合に複数の条件の下の前記移動局で利用可能な特徴を示す、受取り格納するための手段と、
前記選択的な有効性属性が前記移動局へ成功裡にダウンロードされたかどうか示すメッセージを前記サーバへ送るための手段と
を備える移動局。
【請求項２８】
前記移動局が前記選択的な有効性特徴に基づいて特定される速度より速く移動している間に、目標移動局で利用可能な特徴を制限するための手段さらに備える請求項２７の移動局。
【請求項２９】
前記選択的な有効性属性に基づいて特定される時間周期に前記移動局で利用可能な特徴を制限するための手段さらに備える請求項２７の移動局。
【請求項３０】
前記選択的な有効性属性を格納する前に認証情報を要求するための手段さらに備える請求項２７の移動局。
【請求項３１】
モバイルデバイスの動きを検知するように構成された１つ以上の動きセンサと、
前記モバイルデバイスの検知された前記動きが、前記モバイルデバイスの１つ以上の機能のデバイス制御が開始されたことを示すかどうか決定する制御論理と、
前記移動局の検知された前記動きが、前記モバイルデバイスの１つ以上の機能のデバイス制御が開始されることになっていることを示す場合に、前記モバイルデバイスの１つ以上の機能の有効性を変更する制御論理と
を備えるモバイルデバイス。
【請求項３２】
前記デバイス制御が開始され得る１つ以上の時間区間を示す期間制限情報を格納するメモリと、
現在時間が１つ以上の時間区間に含まれるかどうか決定するために前記現在時間を前記期間制限情報と比較する制御論理と
を備え、
そして、前記モバイルデバイスの１つ以上の機能の有効性の変更は、前記移動局の検知された前記動きが前記モバイルデバイスの１つ以上の機能のデバイス制御が始められることになっていることを示す場合に、および現在時間が１つ以上の時間区間に含まれている場合に、前記モバイルデバイスの前記１つ以上の機能の前記有効性を変更することをさらに備える、請求項３１のモバイルデバイス。
【請求項３３】
プロセッサをさらに備え、制御論理が、前記プロセッサによって実行され、コンピュータ可読媒体に格納される実行可能命令を備える、請求項３１のモバイルデバイス。
【請求項３４】
前記制御論理は、ハードウェアおよび／またはファームウェアにおいてインプリメントされる１つ以上のゲートを備える請求項３１のモバイルデバイス。
【請求項３５】
前記モバイルデバイスの１つ以上の機能の有効性を変更する前記制御論理は、ボイスメッセージ、テキストメッセージ、およびゲーム機能性から成るグループから選ばれた１つ以上の機能をディスエーブルするための制御論理を備える、請求項３１のモバイルデバイス。
【請求項３６】
モバイルデバイスを制御する方法であって、
前記モバイルデバイスとの通信の中で１つ以上の動きセンサを使用して、モバイルデバイスの動きを検知することと、
移動局の検知された前記動きが前記モバイルデバイスの１つ以上の機能のデバイス制御が開始されたことを示すかどうか決定することと、
前記移動局の検知された前記動きが前記モバイルデバイスの１つ以上の機能のデバイス制御が開始されたことを示す場合に、前記モバイルデバイスの１つ以上の機能の前記有効性を変更することと
を備える、方法。
【請求項３７】
デバイス制御が開始され得る１つ以上の時間区間を示す期間制限情報を格納することと、
現在時間が１つ以上の時間区間に含まれるかどうか決定するために前記現在時間を前記期間制限情報と比較すること、
前記モバイルデバイスの前記１つ以上の機能の前記有効性を変更することは、前記移動局の検知された前記動きが、前記モバイルデバイスの１つ以上の機能のデバイス制御が開始されることになっていることを示す場合、および前記現在時間が１つ以上の時間区間に含まれている場合に、前記モバイルデバイスの前記１つ以上の機能の前記有効性を変更すること
を備える、請求項３６の方法。
【請求項３８】
前記モバイルデバイスの前記１つ以上の機能の前記有効性を変更することは、ボイスメッセージ、テキストメッセージおよびゲーム機能性から成るグループから選ばれた１つ以上の機能をディスエーブルすることを備える、請求項３６の方法。
【請求項３９】
モバイルデバイスの動きを検知するための手段と、
移動局の検知された前記動きが前記モバイルデバイスの１つ以上の機能のデバイス制御が開始されたことになっていることを示すかどうか決定するための手段と、
前記移動局の前記検知された動きが、前記モバイルデバイスの前記１つ以上の機能のデバイス制御が開始されることになっていることを示す場合、前記モバイルデバイスの前記１つ以上の機能の前記有効性を変更するための手段と
を備えるモバイルデバイス。
【請求項４０】
デバイス制御が開始され得る１つ以上の時間区間を示す期間制限情報を格納するための手段と、
現在時間が１つ以上の時間区間に含まれるかどうか決定するために前記現在時間を前記期間制限情報と比較するための手段と
をさらに備え、
前記モバイルデバイスの１つ以上の機能の有効性を変更するための手段は、移動局の検知された前記動きが前記モバイルデバイスの１つ以上の機能のデバイス制御が開始されることになっていることを示す場合、および前記現在時間が１つ以上の時間区間に含まれている場合に、前記モバイルデバイスの前記１つ以上の機能の前記有効性を変更するための手段を備える、請求項３９のモバイルデバイス。
【請求項４１】
前記モバイルデバイスの前記１つ以上の機能の前記有効性を変更するための手段は、ボイスメッセージ、テキストメッセージ、およびゲーム機能性から成るグループから選ばれた１つ以上の機能をディスエーブルするための手段を備える、請求項３９のモバイルデバイス。
【請求項４２】
モバイルデバイスの検知された動きを示す動きセンサ情報を受取ることと、
移動局の検知された前記動きが前記モバイルデバイスの１つ以上の機能のデバイス制御が開始されたことを示すかどうかを動きセンサ情報から決定することと、
前記移動局の検知された前記動きが前記モバイルデバイスの１つ以上の機能のデバイス制御が開始されたことを示す場合に、前記モバイルデバイスの１つ以上の機能の前記有効性を変更することと
を備える操作がプロセッサによって実行された時に、１つ以上の機械に実行させ、それに格納された命令を含むコンピュータ可読媒体。
【請求項４３】
デバイス制御が開始され得る１つ以上の時間区間を示す格納された期間制限情報へアクセスすること、
現在時間を示す現在時間情報へアクセスすること、
前記現在時間が１つ以上の時間区間に含まれるかどうか決定するために前記現在時間情報を前記期間制限情報と比較すること
を備え、
前記モバイルデバイスの前記１つ以上の機能の前記有効性を変更することは、前記移動局の検知された前記動きが前記モバイルデバイスの１つ以上の機能のデバイス制御が開始されることになっていることを示す場合、および前記現在時間が１つ以上の時間区間に含まれている場合に、前記モバイルデバイスの前記１つ以上の機能の前記有効性を変更する
こと
を前記操作が備える、請求項４２のコンピュータ可読媒体。
【請求項４４】
前記モバイルデバイスの前記１つ以上の機能の前記有効性を変更することは、ボイスメッセージ、テキストメッセージ、およびゲーム機能性から成るグループから選ばれた１つ以上の機能をディスエーブルするために使用される指標を生成することを備える請求項４２の方法。
【発明の詳細な説明】
【技術分野】
【０００１】
この開示は、一般的に、移動局の選択的な操作に関係がある。より具体的には、その開示は、移動局が動いている間に移動局の選択された特徴をディスエーブルにするためのシステムおよび方法に関係する。
【背景技術】
【０００２】
いくつかの事故において、それらがそれらの車両の操作に専念しているべきだった間に操作者が携帯電話のようなデバイスを使用することを試みていたことが発見される。例えば、操作者は、運転をしている間にテキストを入力し、入電が受け取られる場合に、注意をそらしおよび／または、運転している間にｅ−メールをするための読み／答え得る。そのような問題は、また、事故の増加する可能性に結びついて、他の機械類の操作の間に生じることができる。米国のいくつかの州は、車両を操作する間にそのようなデバイスの使用を禁止するために法律を制定しようとしたが、法律は一貫して強化するのが難しい。
【発明の概要】
【０００３】
ここに示されたシステム、装置、および方法は、要求するパーティーがもう一人のユーザの移動局の使用をコントロールすることを可能にする。いくつかの態様では、サーバは、複数の遠隔コンピュータシステムズおよび目標移動局と通信するように構成される。サーバは、メモリデバイス上で埋め込まれたアクセス情報と論理命令にアクセスするよう構成されたメモリデバイスおよびプロセッサを含む。サーバは、遠隔通信システムのうちの１つからコンピュータサーバにアクセスする、要求するパーティーを確証する。要求するパーティーは、選択された目標移動局の１つのユーザではない。サーバは、要求するパーティーから目標移動局の１つの選択された選択的な有効性属性を受け取る。選択的な有効性属性は、目標移動局が操作をイネーブルまたはディスエーブルされる条件、および目標移動局が有効になる場合に複数の条件の下の目標移動局で利用可能な特徴を示す。サーバは、さらに、目標移動局がいつ使用可能かを決定し、目標移動局が使用可能の場合に目標移動局へ選択的な有効性属性をダウンロードする。
【０００４】
他の態様では、移動局は、プロセッサ、およびプロセッサに中央のサーバから選択的な有効性属性を受け取らせ格納させるのに操作可能なコードを備えるコンピュータ可読媒体を含む。選択的な有効性属性は、移動局は、操作することがイネーブルまたはディスエーブルする条件、および目標移動局が有効になる場合、複数の条件の下の移動局で利用可能な特徴を示す。移動局は、さらに、選択的な有効性属性が移動局へ成功裡にダウンロードされたかどうか示す集中型のサーバへメッセージを送るのに操作可能である。
【０００５】
別の態様において、モバイルデバイスは、モバイルデバイスの動きを検知するように構成された１つ以上の動きセンサを含んでいる。モバイルデバイスは、さらに、モバイルデバイスの検知された動きがモバイルデバイスの１つ以上の機能のデバイス制御が開始されることになっていることを示すかどうか決定する制御論理を含んでおり、モバイルデバイスの１つ以上の機能のデバイス制御が開始されることになっていることを移動局の検知された動きが示す場合に、モバイルデバイスの１つ以上の機能の有効性を変更する制御論理を含んでいる。
【０００６】
モバイルデバイスは、さらに、デバイスコントロールが開始される１つ以上の時間間隔を指示可能な時間制限情報、および現在時間が１つ以上の時間区間に含まれるかどうか決定するために現在時間と期間制限情報と比較する制御論理を格納するメモリを含む。移動局の検知された動きがモバイルデバイスの１つ以上の機能のデバイスコントロールが始められることになっていることを示す場合、および現在時間が１つ以上の時間区間に含まれている場合、モバイルデバイスの１つ以上の機能の有効性が変更され得る。モバイルデバイスは、さらに、プロセッサを含み得て、また、制御論理は、プロセッサによって実行されるコンピュータ可読媒体に格納された実行可能命令を含み得る。制御論理は、ハードウェアおよび／またはファームウェアの中でインプリメントされた１つ以上のゲートを含み得る。
【０００７】
モバイルデバイスの１つ以上の機能の有効性を変更する制御論理は、ボイスメッセージ、テキストメッセージ、およびゲーム機能性から成るグループから選ばれた１つ以上の機能をディスエーブルする制御論理を含み得る。
【図面の簡単な説明】
【０００８】
【図１】図１は、開示されたシステムおよび方法の通信ネットワークの簡略化されたブロック図である。
【図２】図２は、選択的な有効性属性を受け取り、かつ移動局へ属性をダウンロードするためにサーバによって行なわれ得るプロセスの例のフロー図を示す。
【図３】図３は、選択的な有効性属性を受け取り、インプリメントするために移動局によって行なわれ得るプロセスの例のフロー図を示す。
【図４】図４は、動きセンサを使用して、技術の流れ図を示す。
【詳細な説明】
【０００９】
開示された方法および装置の性質、目的、および利点は、添付の図面に関する次の詳細な記述を考慮した後に当業者により明白になるだろう。
【００１０】
図１は、ブロック図の形式において、１つ以上の遠隔通信システム１０４および目標の移動局１０６と通信するように構成されたコンピュータサーバ１０２を含む通信ネットワークを例示する。サーバ１０２は、メモリデバイス１１０、認証モジュール１１２および選択的な有効性モジュール１１４上に埋め込まれた情報と論理命令にアクセスするように構成されるプロセッサ１０８を含む。プロセッサ１０８は、論理命令を格納し実行するためにメモリデバイス１１０にアクセスし、他のモジュールおよび処理システムと接続することができるあらゆる適切なコンピュータ処理装置を含むことができる。グラフィカル・ユーザインターフェース、オーディオ・ユーザインターフェース、キーボードおよびマウスのようなさまざまな入力／出力装置は、ユーザがサーバ１０２と対話することを可能にするために含むことができる。
【００１１】
選択的な有効性モジュール１１４は、目標移動局１０６が有効になる場合、目標移動局１０６で特徴が利用可能であるのと同様に目標移動局１０６が操作上イネーブルするかあるいはディスエーブルする条件を示す論理命令およびデータ（さらに「属性」と呼ばれる）を含む。例えば、属性は、移動局１０６が特定される速度より速く移動している間、どの特徴が目標移動局１０６上で利用可能であり、および／または、制限されるかを特定し得る。別の例として、属性は、特定される時間時間の間に移動局１０６で利用可能な特徴を制限し得る。
【００１２】
選択的な有効性モジュール１１４は、さまざまな条件の下で、要求するパーティーが、目標移動局１０６のさまざまな特徴の有効性を制御することを可能にする。要求するパーティーは、移動局１０６のユーザに関して親、教師、雇用者あるいは権威または制御の位置にある他の人であり得る。利用可能な機能をイネーブルあるいはディスエーブルする能力は、さまざまな状況、例えば、運転している（つまり、自動車は動いている）間に、未経験の運転手が目標移動局１０６で非緊急の特徴を使用することを妨げ、機械類を操作する間に、従業員が、目標移動局１０６を使用することを妨げ、労働時間に働くのに無関係な特徴にアクセスするのを妨げ、授業時間の間に学生がテキストメッセージを送るまたがゲームをするのを妨げることにおいて使用されることができる。
【００１３】
認証モジュール１１２は、遠隔通信システム１０４のうちの１つから認証モジュール１１２にアクセスするのを試みる要求するパーティーを認証するための論理命令を含む。認証モジュール１１２は、ユーザ名とパスワード、スマートカード、音声認識、および／またはサーバ１０２と通信システム１０４の間で使用することができる他の適切な識別技術のように識別を証明するために１つ以上の技術を使用することができる。一旦識別されたならば、認証モジュール１１２は、要求するパーティーが１つ以上の目標モバイルデバイス１０６のために選択的な有効性属性を提供しかつ／または修正することを許されるかどうか決定することができる。
【００１４】
要求するパーティーが認証され、１つ以上の目標移動局１０６のための選択的な有効性属性へのアクセスすることが許可された場合に、選択的な有効性モジュール１１４は、要求するパーティーが選択される目標移動局において現在ダウンロードされる選択的な有効性を見て修正することを可能にすることができる。選択的な有効性モジュール１１４は、１つを超える目標移動局１０６が要求するパーティーに関係しているかどうかさらに決定することができる。そうならば、選択的な有効性モジュール１１４は、関連する目標移動局１０６の１つ以上を選択する要求するパーティーに対するオプションを生成することができる。選択的な有効性モジュール１１４は、さらに、要求するパーティーが異なる目標移動局１０６のための選択的な有効性属性の異なる組を指定することを可能にすることができる。
【００１５】
１つを超える要求するパーティーは、同じ目標移動局１０６に関係することができる。パーティーの要求は、１つ以上の役割に関係していることができ、また、選択された目標移動局１０６上の様々な特徴を制限するか使用可能にする能力は、要求するパーティーの役割に依存することができる。例えば、教師か雇用者は、授業時間または労働時間において移動局１０６から利用可能な特徴をコントロールすることに制限され得る。親は、他の要求するパーティーによって提供されるセッティングを無視すると同様にいつでもさまざまな特徴の有効性をコントロールする能力を有し得る。移動局１０６の全体制御を要求するパーティーは、他の要求するパーティー、特徴、役割が制御するのを許可される条件に対する役割を定義し、アクセスすることを許可する。
【００１６】
いくつかの態様において、要求するパーティー通信システム１０４は、論理命令を格納しおよび実行するためにメモリにアクセスし、サーバ１０２のような他の処理システムと接続することができるあらゆる適切なコンピュータ処理装置を含むことができる。どんな適切な通信プロトコルもサーバ１０２と通信システム１０４および移動局１０６の間で通信するために使用することができる。例えば、通信システム１０４は、平易な古い電話システム（ｐｌａｉｎ  ｏｌｄ  ｔｅｌｅｐｈｏｎｅ  ｓｙｓｔｅｍ：ＰＯＴＳ）、同軸ケーブル、光ファイバーケーブル、ツイストペア、デジタル加入者線（ｄｉｇｉｔａｌ  ｓｕｂｓｃｒｉｂｅｒ  ｌｉｎｅ：ＤＳＬ）を使用するインターネットのような情報ネットワーク、および／または他の通信システム１０４とサーバ１０２の間でデータを転送するのにふさわしい方法を介してサーバ１０２と通信することができる。グラフィカル・ユーザインターフェース、オーディオ・ユーザインターフェース、キーボードおよびマウスのようなさまざまな入力／出力装置は、ユーザがユーザの役割に関連したアクセス権に依存して、サーバ１０２の選択的な有効性属性を見て修正することを可能にするための通信システム１０４に含まれることができる。
【００１７】
サーバ１０２は、目標移動局１０６が任意の適切な方法においていつ使用可能かおよび目標移動局が使用可能の場合に目標移動局へ選択的な有効性属性をダウンロードされるかを決定することができる。
【００１８】
いくつかの実施例では、要求するパーティーの通信システム１０４は、サーバ１０２の機能のうちのいくつかを少なくとも実行し、それにより、サーバ１０２の必要をなくし、移動局１０６と直接通信することができる。
【００１９】
サーバ１０２は、選択的な有効性属性が目標移動局１０６へ成功裡にダウンロードされるかどうか示す目標移動局１０６からメッセージを受け取ることができる。その後、サーバ１０２は、選択的な有効性属性が目標移動局１０６へ成功裡にダウンロードされたかどうか示す、要求するパーティー通信システム１０４に別のメッセージを送ることができる。
【００２０】
移動局１０６は、メモリデバイス１１８、認証モジュール１２０、および選択的な有効性モジュール１２２上で埋め込まれた情報と論理命令をアクセスするように構成されるプロセッサ１１６を含むことができる。移動局１０６は、さらに、位置、速度、時刻、日付および他の適切なパラメータに関する情報を提供する１つ以上のセンサ１２４およびセンサ処理モジュール１２６を含むことができる。例えば、移動局１０６は衛星１３０から信号を受け取り得て、それは、全地球測位システム（Ｇｌｏｂａｌ  Ｐｏｓｉｔｉｏｎｉｎｇ  Ｓｙｓｔｅｍ：ＧＰＳ）、ガリレオ（Ｇａｌｉｌｅｏ）、ＧＬＯＮＡＳＳ、ＮＡＶＳＴＡＲ、ＧＮＳＳ、これらのシステムの組合せからの衛星を使用するシステム、あるいは各々一般にここで衛星測位システム（Ｓａｔｅｌｌｉｔｅ  Ｐｏｓｉｔｉｏｎｉｎｇ  Ｓｙｓｔｅｍ：ＳＰＳ）と呼ばれて、今後開発された任意のＳＰＳからであり得る。ここに使用されるように、ＳＰＳは、また、擬似衛星システムを含むために理解されるだろう。それは、衛星ではないが、衛星によって一般に行なわれる機能を実行する。重要な１つのタイプのセンサ１２４、動きセンサ、例えば移動局１０６の動きに関する情報を提供することができる加速度計、ジャイロスコープなどである。ここに、用語「動きセンサ」は、他のタイプの測定からの（例えば衛星および／または地上局を使用する、１つ以上の位置測定からの）動きを推論するよりむしろ移動局１０６の動きを直接感じるセンサを指す。センサ処理モジュール１２６は、フィルタ、アナログ／デジタル変換、アンプ、および選択的な有効性モジュール１２２を用いた使用のためにセンサ信号に条件付けるための他の適切なコンポーネントを含むことができる。
【００２１】
移動局１０６は、携帯電話、無線通信デバイス、ユーザ設備、ラップトップコンピュータ、あるいは他のパーソナル移動通信システム（ｐｅｒｓｏｎａｌ  ｃｏｍｍｕｎｉｃａｔｉｏｎ  ｓｙｓｔｅｍ：ＰＣＳ）デバイスのような携帯機器であり得る。プロセッサ１１６は、データと論理命令を格納しおよび実行するためにメモリデバイス１１８にアクセスし、他の処理システムと接続することができるあらゆる適切なコンピュータ処理装置を含むことができる。グラフィカル・ユーザインターフェース、オーディオ・ユーザインターフェース、キーボードおよび他のデータ入力デバイスのような各種入力情報／出力装置は、ユーザが移動局１０６と対話することを可能にするために含むことができる。
【００２２】
移動局１０６は、サーバ１０２から選択的な有効性属性を受け取り格納することができる。選択的な有効性モジュール１２２は、目標移動局が有効になる場合、さまざまな条件の下の移動局１０６で利用可能な特徴と同様に移動局１０６がイネーブルされるかまたはディスエーブルされるかどうかコントロールすることができる。移動局１０６は、選択的な有効性属性が移動局１０６へ成功裡にダウンロードされたかどうか示すサーバ１０２へメッセージを送ることができる。他の態様では、認証モジュール１２０は、選択的な有効性属性を受け取り格納する前にサーバ１０２からの認証情報を要求することができる。
【００２３】
赤外線、ラジオおよび／またはマイクロ波技術に基づいたさまざまな無線通信ネットワークは、サーバ１０２、通信システム１０４、および目標移動局１０６の間で使用することができる。そのようなネットワークは、例えば、無線広域ネットワーク（ｗｉｒｅｌｅｓｓ  ｗｉｄｅ  ａｒｅａ  ｎｅｔｗｏｒｋ：ＷＷＡＮ）、無線ローカルエリアネットワーク（ｗｉｒｅｌｅｓｓ  ｌｏｃａｌ  ａｒｅａ  ｎｅｔｗｏｒｋ：ＷＬＡＮ）、無線パーソナルネットワーク（ｗｉｒｅｌｅｓｓ  ｐｅｒｓｏｎａｌ  ａｒｅａ  ｎｅｔｗｏｒｋ：ＷＰＡＮ）などを含むことができる。ＷＷＡＮは、符号分割多元接続（Ｃｏｄｅ  Ｄｉｖｉｓｉｏｎ  Ｍｕｌｔｉｐｌｅ  Ａｃｃｅｓｓ：ＣＤＭＡ）ネットワーク、時分割多元接続（Ｔｉｍｅ  Ｄｉｖｉｓｉｏｎ  Ｍｕｌｔｉｐｌｅ  Ａｃｃｅｓｓ：ＴＤＭＡ）ネットワーク、周波数分割多元接続（Ｆｒｅｑｕｅｎｃｙ  Ｄｉｖｉｓｉｏｎ  Ｍｕｌｔｉｐｌｅ  Ａｃｃｅｓｓ：ＦＤＭＡ）ネットワーク、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：ＯＦＤＭＡ）ネットワーク、シングルキャリヤー周波数分割多元接続（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ：ＳＣ−ＦＤＭＡ）ネットワークなどであり得る。ＣＤＭＡネットワークは、ｃｄｍａ２０００、広帯域ＣＤＭＡ（Ｗ−ＣＤＭＡ）などのような１つ以上のラジオアクセス技術（ｒａｄｉｏ  ａｃｃｅｓｓ  ｔｅｃｈｎｏｌｏｇｉｅｓ：ＲＡＴ）をインプリメントしてもよい。Ｃｄｍａ２０００は、ＩＳ−９５、ＩＳ−２０００、およびＩＳ−８５６標準を含む。ＴＤＭＡネットワークは、モービル通信のためのグローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ：ＧＳＭ（登録商標））、デジタルの進歩型移動電話システム（Ｄｉｇｉｔａｌ  Ａｄｖａｎｃｅｄ  Ｍｏｂｉｌｅ  Ｐｈｏｎｅ  Ｓｙｓｔｅｍ：Ｄ−ＡＭＰＳ）、あるいはいくつかの他のあるＲＡＴをインプリメントし得る。ＧＳＭ（登録商標）およびＷ−ＣＤＭＡは「第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ）」（３ＧＰＰ）という名のコンソーシアムからのドキュメントに記述される。Ｃｄｍａ２０００は、「第３世代パートナーシッププロジェクト２（３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名の協会からのドキュメントに記述される。３ＧＰＰと３ＧＰＰ２のドキュメントは公に利用可能である。ＷＬＡＮは、ＩＥＥＥ  ８０２．１１ｘネットワークであり得て、また、ＷＰＡＮは、ブルーツース（Ｂｌｕｅｔｏｏｔｈ（登録商標））ネットワーク、ＩＥＥＥ  ８０２．１５ｘ、あるいは他のあるタイプのネットワークであり得る。技術も、ＷＷＡＮ、ＷＬＡＮおよび／またはＷＰＡＮの任意の組合せにおいて使用され得る。
【００２４】
図２を参照して、移動局（１０６）（図１）で利用可能な特徴をコントロールする方法２００の例のフロー図は、コンピュータサーバ（１０２）（図１）においてインプリメントされ得ることが示される。認証処理２０２は、遠隔通信システム（１０４）（図１）からコンピュータサーバにアクセスする、要求するパーティーを確証することを含む。認証処理２０２は、ユーザ名およびパスワード、スマートカード、音声認識および／または他の適切な識別技術のように識別を証明するために１つ以上の技術を使用することができる。
【００２５】
一旦識別されたならば、処理２０４は、要求するパーティーが１つ以上の目標モバイルデバイスのために選択的な有効性属性を提供しかつ／または修正することを許されるかどうか決定することができる。例えば、ファミリーサービスプランあるいはビジネスサービスプランに含まれている携帯電話はすべて要求するパーティーに利用可能であり得る。それぞれの要求するパーティーが様々な条件の下でイネーブルされ、またディスエーブルされる移動電話の特徴と同様に移動局のための有効性属性にアクセスすることを許可される要求するパーティーを含む各移動局の情報は、格納され得る。少なくとも１つの要求するパーティーは、管理者の役割を担い、典型的には管理者より多くアクセス件を制限する他の要求するパーティーのための役割を作成する／割り当てることができる。要求するパーティーのアクセス権は、割り当てられた役割に依存することができる。管理者は、さらに、他の要求するパーティーによって定義された属性を無視するためにアクセスし得る。
【００２６】
プロセス２０４は、要求するパーティーがウェブブラウザ、あるいはボイスプロンプトおよび音声またはキーパッド応答を備えたオーディオ・インターフェースのような適切なユーザインタフェースによってサーバ上のメモリに格納された属性をアクセスするのを許可することを含む。１４．要求するパーティーに関連した複数個の目標移動局を決定すること、要求するパーティーに関連した目標移動局のうちの１つを選択するオプションを示すこと、および要求するパーティーが複数の目標移動局の異なるもののための選択的な有効性属性の異なるセットを特定することを許可することをさらに含む請求項１１の方法。要求するパーティーは、目標移動局で現在ダウンロードされた選択的な有効性属性を見て修正し得る。他のインプリメンテーションでは、要求するパーティーは、自分の通信システム上にデータを格納し編集し、サーバへ新しい／更新される属性を含むファイルを転送し得る。
【００２７】
処理２０６は、要求するパーティーからの目標移動局のために新しい／更新される選択的な有効性属性を格納することを含むことができる。選択的な有効性属性は、目標移動局によって作動することがイネーブルされるかディスエーブルされる条件、および目標移動局が有効になる場合、複数の条件の下の目標移動局で利用可能な特徴を示す。
【００２８】
処理２０８は、目標移動局がいつ使用可能か決めることを含むことができ、また、処理２１０は、目標移動局が使用可能の場合に、目標移動局へ選択的な有効性属性をダウンロードすることを含むことができる。そして、移動局が使用可能でない場合に、処理２０９は、移動局が操作可能になるまたは処理２０２への転送を生じさせる新しい属性が検知されるまで処理２０８にループバックする。
【００２９】
処理２１２は、選択的な有効性属性が目標移動局へ成功裡にダウンロードされるかどうか示す目標移動局からメッセージを受け取ることを含むことができる。処理２１４は、選択的な有効性属性が目標移動局へ成功裡にダウンロードされたかどうか示すメッセージをサーバから要求するパーティーの通信システムへ送信することを含むことができる。
【００３０】
図３を参照して、移動局で利用可能な特徴のコントロールのために移動局（１０６）（図１）の中で実現されてもよい方法３００の例のフロー図が示される。処理３０２は、サーバ（１０４）から、要求するパーティーの通信システム（１０４）（図１）から、あるいは他のソースから、移動局の選択的な有効性属性を備えたダウンロードメッセージを受け取ることを含むことができる。選択的な有効性属性は、移動局によって作動することがエーブルされるかディスエーブルされる条件、および目標移動局がイネーブルされる場合、移動局で利用可能な特徴を特定する。
【００３１】
ダウンロードメッセージは、要求するパーティーのための認証情報を含むことができる。処理３０４は、選択的も有効性属性を格納する前に要求するパーティーの認証情報をチェックすることを含むことができる。メッセージを認証する１つの目的は、移動局（あるいは他の非認証のパーティー）のユーザが有効性属性を修正するか削除するのを妨げることである。
【００３２】
メッセージ／要求するパーティーが認証されない場合は、処理３０６は、有効性属性が以前に移動局に格納されたかどうか決定するために処理３０４から処理３０８に推移する。その後、そうならば、以前に格納された有効性属性に基づいた移動局上の機能を使用可能にする／不能にするために３１４を処理するために３０８の推移を処理する。そうでなければ、処理３０８は、別のダウンロードメッセージを待つために処理３０２に返る。
【００３３】
メッセージ／要求するパーティーが認証される場合は、移動局に有効性属性を格納するために処理３０４から処理３１０に推移する。処理３１０は、有効性属性全体の組を置き換え、または、追加され、削除され、最も最近のダウンロードで修正されたそれらの有効性属性だけを更新することを含むことができる。メッセージは、送られているデータが十分な置換あるいは部分的な更新かどうか示すパラメータを含むことができる。
【００３４】
プロセス３１２は、サーバへ選択的な有効性属性が移動局へ成功裡にダウンロードされたかどうか示すメッセージをサーバおよび／または要求するパーティーの通信装置へ送ることを含むことができる。プロセス３１４は、移動局の新しい有効性属性を活性化することを含んでいる。
【００３５】
条件と有効性の属性は、要求するパーティーが移動局の使用をコントロールしたいさまざまな状況をカバーすることができる。例えば、有効性属性は以下のことを特定し得る。
【００３６】
−  移動局が特定の速度以上に移動している場合に、午前９：００から１１：００までショートメッセージサービス（Ｓｈｏｒｔ  Ｍｅｓｓａｇｅ  Ｓｅｒｖｉｃｅ：ＳＭＳ）の配信をディスエーブルする。
【００３７】
−  子供にとって典型的に授業時間である午前９：００から午後３：００までゲームをすべてディスエーブルする。移動デバイスにおいて特定される速度よりも大きく進む場合に入ってくる／出て行くコールも番号リストを特定する。
【００３８】
−  属性が有効に残ることである時間を定義する「終了の時間」フィールドを特定する。
【００３９】
上で注意されるように、動きセンサは、モバイルデバイスに含まれて得る１つの重要なタイプのセンサである。図４は、１つ以上の動きセンサ（加速度計、ジャイロスコープなどのような）を組込むモバイルデバイスと共に使用され得る処理４００を示す。動きセンサは、モバイルデバイスの設計および特別の情報の必要に依存して、特定の数の自由度において動きに関する情報を提供するために１つ以上のセンサを含み得る。しかしながら、ここで、我々は、得られた自由度および使用されるセンサの組み合わせの数に対する制限のなく一般的に動きセンサについて議論する。
【００４０】
４１０で、１つ以上の動きセンサが、デバイスの動きを示し得る。例えば、加速度計は、期間には定常だった後に、モバイルデバイスが移動していることを示し得る。４２０で、モバイルデバイスは、検知された動きが特別のパラメータ内であることを決定し、それらはデバイス（詳細に上で議論されたように）の外から制御され得るか、あるいは、異なるやり方で提供され得る。例えば、モバイルデバイスは、検知された動きが、歩行することに相当するか、運転することに相当するかを決定し得る。検知された動きが歩行することに対応する場合、モバイルデバイスは、一つの方法で応答する一方、検知された動きが運転することに相当する場合、モバイルデバイスは異なる方法で応答し得る。
【００４１】
４３０で、モバイルデバイスは、モバイルデバイスの環境が１つ以上の追加のパラメータ内にあるかどうか任意に決定し得る。例えば、モバイルデバイスは、現在時間が１つ以上の選択された時間区間内にあるかどうか決定し得る。別の例において、モバイルデバイスは、現在の位置が１つ以上の選択された領域内にあるかどうか決定し得る。４４０で、モバイルデバイスは、外部アクションがトリガーされるかどうかを任意に決定し得る。例えば、動きセンサは、検知された動きが運転することに相当し、時間が、モバイルデバイスのユーザが運転しているとは予想されない時間間隔内にあることを示す場合、モバイルデバイスは、（親へのテキストメッセージのような）警報が送られるべきであることを示す通信を送信し得る。
【００４２】
４５０で、検知された動きに基づいておよび（いくつかの例で）他の検知されたパラメータに基づいてデバイスの機能性は制御される。１つの例において、モバイルデバイスは、衛星測位システム（ＳＰＳ）受信機を含み得る。モバイルデバイスは、ＳＰＳ測定およびＳＰＳ情報を使用して制御された機能性を使用して、その位置と速度を決定することができただろう。しかしながら、そのような技術が重要なパワーコストを生じるだろう。したがって、現在システムの１つのインプリメンテーションにおいて、１つ以上の動きセンサからの情報が、それがそうであるべきであることを示すまで、ＳＰＳシステムは活性化されない。モバイルデバイスの効率的な制御を提供するために、この制御は、他のパラメータと結合し得る。
【００４３】
例えば、モバイルデバイスが、７：３０と午前８：００の間のある時間に学校へ運転して行くと予想される若いドライバに属する場合に、モバイルデバイスは、一旦、動きセンサが、運転に関連した動きを検知すれば、ＳＰＳシステムを活性化する命令（例えば、外部コンピュータで、デバイスで、あるいは別の方法でデバイスプロファイルをセットアップする親からの）を提供されることができる。モバイルデバイスの速度は、ＳＰＳシステムを使用して決定されることができる。モバイルデバイスが自動車にあることを速度が示している間に、モバイルデバイスの他の機能性は、コントロールされることができる。例えば、音声通信は、制限されているかディスエーブルされることができ、テキストメッセージは、制限されているかディスエーブされることができ、ゲームは制限されているかディスエーブされることができるなど。別の例において、動きセンサからの信号はＳＰＳシステムが活性化されるべきであることを示すために使用することができ、したがって、ジオフェンシング（ｇｅｏｆｅｎｃｉｎｇ）技術は開始されることができる。もちろん、多くのインプリメンテーションが可能である。また、上記の態様は、特別の利点を備える異なる方法で組み合わせられてもよい。
【００４４】
当業者は、情報と信号が様々な異なる技術および技術のうちのどれでも使用して表わされ得ると理解するだろう。例えば、データ、情報、信号、ビット、記号、チップ、命令およびコマンドは、上記の記述の全体にわたって参照され得る。これらは、電圧、電流、電磁波、磁界あるいは磁性粒子、光学の場あるいは光学粒子、またはそれの任意の組合せによって表わされ得る。
【００４５】
１つ以上の典型的な実施例において、記載された機能と処理は、ハードウェア、ソフトウェア、ファームウェアあるいはそれの任意の組合せにおいてインプリメントされ得る。もしソフトウェア中でインプリメントされる場合、機能は、コンピュータ可読媒体に格納され、また、その上の１つ以上の命令あるいはコードとして送信され得る。コンピュータ可読媒体は、コンピュータ記憶媒体と、およびある場所から別の場所へコンピュータープログラムの転送を促進するあらゆる媒体を含む通信媒体の両方を含む。記憶媒体は、コンピュータによってアクセスされることができるあらゆる利用可能な媒体であり得る。限定ではなく例によって、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置、あるいは、他の磁気記憶装置、要望されるプログラムコードを命令あるいはデータ構造の形式で運ぶか格納するために使用されることができ、コンピュータによってアクセスされることができる他の媒体を備える。ここで使用されるようなディスク（ｄｉｓｋ）とディスク（ｄｉｓｃ）は、ディスク（ｄｉｓｋ）が通常磁気的にデータを再生する一方、ディスク（ｄｉｓｃ）がレーザーでデータを光学上再生する、コンパクトディスク（ｃｏｍｐａｃｔ  ｄｉｓｃ：ＣＤ）、レーザーディスク（登録商標）、光ディスク、ディジタル・バーサタイル・ディスク（ｄｉｇｉｔａｌ  ｖｅｒｓａｔｉｌｅ  ｄｉｓｃ：ＤＶＤ）、フロッピー（登録商標）ディスク、およびブルーレイディスクを含む。上記のものの組合せは、また、コンピュータ可読媒体の範囲内に含まれるべきである。ここに使用される用語「制御論理」は、（機能性が、プロセッサを使用して実行される機械可読媒体上に格納された命令によってインプリメントされる）ソフトウェア、（機能性が、（論理ゲートのような）回路類を使用してインプリメントされ、回路類が特別の入力のための特別の出力を提供するように構成される）ハードウェア、および（機能性が、再プログラム可能な回路類を使用してインプリメントされる）に適合し、さらにソフトウェア、ハードウェアおよびファームウェアの１つ以上の組合せに適合する。
【００４６】
ファームウェアおよび／またはソフトウェアのインプリメンテーションについて、方法論は、ここに記述された機能を実行するモジュール（例えば手順、関数など）でインプリメントされ得る。明確に命令を具体化するどんな機械可読媒体も、ここに記述された方法論をインプリメントするのに使用され得る。例えば、ソフトウェアコードは、メモリ（例えば移動局のメモリ）に格納され、プロセッサ（例えば、モデムのマイクロプロセッサ）によって実行され得る。メモリは、プロセッサ内で、あるいはプロセッサの外部でインプリメントされ得る。ここに使用されるように、用語「メモリ」は、任意のタイプの長期の、短期の、揮発性の、不揮発性の、あるいは他のメモリを指し、特有のタイプのメモリあるいはメモリの数、あるいはメモリが格納される媒体のタイプに特定されるべきでない。
【００４７】
さらに、開示されたインプリメンテーションの前の記載は、どんな当業者も本発明を作るか使用することを可能にするために提供される。これらのインプリメンテーションへの様々な修正は、当業者に容易に明白になり、また、ここに定義された総括的な原理は、発明の趣旨あるいは範囲から外れずに、他のインプリメンテーションに適用され得る。したがって、本発明は、ここに開示された特徴に制限されたようには意図されないが、ここに開示された原理と新規の特徴と一致する最も広い範囲を与えられるべきである。
【図１】
2014096826.tif 000003
【図２】
2014096826.tif 000004
【図３】
2014096826.tif 000005
【図４】
2014096826.tif 000006
【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
複数の遠隔コンピュータシステムズおよび目標移動局と通信するように構成されたコンピュータサーバであって、前記サーバが、メモリデバイスと前記メモリデバイスに埋め込まれたデータおよび論理命令にアクセスするように構成されるプロセッサとを含む、コンピュータサーバと、
前記遠隔通信システムのうちの１つから前記コンピュータサーバにアクセスする、要求するパーティーを認証することであって、前記要求するパーティーは、前記目標移動局の選択された１つのユーザではない、認証することと、
要求するパーティーから目標移動局の選択された１つについての選択的な有効性属性を受け取ることであって、前記選択的な有効性属性は、前記目標移動局によって操作がエーブルされあるいはディスエーブルされる条件、および目標移動局がイネーブルされる場合に、複数の条件の下で前記目標移動局において利用可能な特徴を示す、受け取ることと、
前記目標移動局がいつ使用可能であるかを決定することと、
前記目標移動局が操作可能の場合に、前記目標移動局へ前記選択的な有効性属性をダウンロードすることと
を前記プロセッサにさせるよう操作可能な論理命令を備えるシステム。
【手続補正２】
【補正対象書類名】明細書
【補正対象項目名】００４７
【補正方法】変更
【補正の内容】
【００４７】
さらに、開示されたインプリメンテーションの前の記載は、どんな当業者も本発明を作るか使用することを可能にするために提供される。これらのインプリメンテーションへの様々な修正は、当業者に容易に明白になり、また、ここに定義された総括的な原理は、発明の趣旨あるいは範囲から外れずに、他のインプリメンテーションに適用され得る。したがって、本発明は、ここに開示された特徴に制限されたようには意図されないが、ここに開示された原理と新規の特徴と一致する最も広い範囲を与えられるべきである。
以下、本願の出願当初の特許請求の範囲に記載の発明を付記する。  
［１］  複数の遠隔コンピュータシステムズおよび目標移動局と通信するように構成されたコンピュータサーバであって、前記サーバが、メモリデバイスと前記メモリデバイスに埋め込まれたデータおよび論理命令にアクセスするように構成されるプロセッサとを含む、コンピュータサーバと、
前記遠隔通信システムのうちの１つから前記コンピュータサーバにアクセスする、要求するパーティーを認証することであって、前記要求するパーティーは、前記目標移動局の選択された１つのユーザではない、認証することと、
要求するパーティーから目標移動局の選択された１つについての選択的な有効性属性を受け取ることであって、前記選択的な有効性属性は、前記目標移動局によって操作がエーブルされあるいはディスエーブルされる条件、および目標移動局がイネーブルされる場合に、複数の条件の下で前記目標移動局において利用可能な特徴を示す、受け取ることと、
前記目標移動局がいつ使用可能であるかを決定することと、
前記目標移動局が操作可能の場合に、前記目標移動局へ前記選択的な有効性属性をダウンロードすることと
を前記プロセッサにさせるよう操作可能な論理命令を備えるシステム。
［２］  前記選択的な有効性属性が前記目標移動局の前記選択された１つに成功裡にダウンロードされるかどうか示す第１のメッセージを前記目標移動局から受け取ることと、
前記選択的な有効性属性が前記目標移動局の前記選択された１つに成功裡にダウンロードされたかどうか示す第２のメッセージを前記要求するパーティーへ送ることと
を前記プロセッサにさせるよう操作可能な論理命令をさらに備える、［１］のシステム。
［３］  前記要求するパーティーが前記目標移動局の前記選択された１つに現在ダウンロードされた前記選択的な有効性属性を見て修正することを可能にすることを前記プロセッサにさせるよう操作可能な論理命令を備える［１］のシステム。
［４］  前記要求するパーティーに関連した複数の目標移動局を決定することと、
前記要求するパーティーに関連した前記目標移動局のうちの１つを選択するオプションを提供することと、
前記要求するパーティーが、複数の前記目標移動局の選択的な有効性属性と異なる選択的な有効性属性の異なるセットを指定することを可能にすることと
を前記プロセッサにさせるよう操作可能な論理命をさらに備える［１］のシステム。
［５］  前記目標移動局が、特定された速度より速く移動している間に、前記選択的な有効性属性は前記目標移動局で利用可能な特徴を制限することをさらに備える、［１］のシステム。
［６］  前記選択的な有効性属性は、特定される時間周期の間に前記目標移動局で利用可能な特徴を制限することをさらに備える［１］のシステム。
［７］  プロセッサと、
中央のサーバから選択的な有効性属性を受け取り格納することであって、前記選択的な有効性属性は、移動局によって操作がイネーブルされるかまたはディスエーブルされる条件、および目標移動局がイネーブルされる場合に、複数の条件の下で前記移動局において利用可能な特徴を示す、受け取り格納することと、
前記選択的な有効性属性が前記移動局へ成功裡にダウンロードされたかどうか示すメッセージを集中型のサーバへ送ることと
を前記プロセッサにさせるよう操作可能なコードと
を備えるコンピュータ可読媒体を備える移動局。
［８］  前記移動局が選択的な有効性属性において特定された速度より速く移動している間に、前記目標移動局で利用可能な特徴を制限することを前記プロセッサにさせるよう操作可能な論理命令をさらに備える［７］のシステム。
［９］  前記選択的な有効性属性において特定された期間の間に前記移動局で利用可能な特徴を制限することを前記プロセッサにさせるよう操作可能な論理命令をさらに備える［７］のシステム。
［１０］  前記選択的な有効性属性を格納する前に認証情報を要求することを前記プロセッサにさせるよう操作可能な論理命令をさらに備える［７］の移動局。
［１１］  遠隔通信システムからコンピュータサーバにアクセスする要求するパーティーの認証することと、
前記要求するパーティーから目標移動局のための選択的な有効性属性を受取ることであって、前記要求するパーティーは、前記目標移動局のユーザではなく、目標移動局が操作をイネーブルまたはディスエーブルされる条件と、前記目標移動局がイネーブルされる場合に複数の条件の下の目標移動局において利用可能な特徴とを示し、受け取ることと、
前記目標移動局がいつ操作可能か決定することと、
前記目標移動局が操作可能の場合に、前記目標移動局へ前記選択的な有効性属性をダウンロードすること
を備えるコンピュータにより実行される方法。
［１２］  前記選択的な有効性属性が前記目標移動局へ成功裡にダウンロードされるかどうか示す第１のメッセージを前記目標移動局から受け取ることと、
前記選択的な有効性属性が前記目標移動局へ成功裡にダウンロードされたかどうか示す第２のメッセージを前記要求するパーティーへ送ることをさらに含む［１１］の方法。
［１３］  前記要求するパーティーが前記目標移動局で現在ダウンロードされる前記選択的な有効性属性を見て修正することを可能にすることをさらに備える［１１］の方法。
［１４］  前記要求するパーティーに関連した複数の前記目標移動局を決定すること、
前記要求するパーティーに関連した前記目標移動局のうちの１つを選択するオプションを提供することと、
前記要求するパーティーが複数の前記目標移動局の異なる選択的な有効性属性に対して選択的な有効性属性の異なるセットを特定することを可能にすることをさらに備える［１１］の方法。
［１５］  前記選択的な有効性属性は、前記目標移動局が特定された速度より速く移動している間に前記目標移動局で利用可能な特徴を制限することをさらに備える［１１］の方法。
［１６］  前記選択的な有効性属性は、特定される時間周期の間に前記目標移動局で利用可能な特徴を制限することをさらに備える［１１］の方法。
［１７］  移動局の選択的な有効性属性を受け取り格納することであって、前記選択的な有効性は、前記移動局が操作することをイネーブルされるあるいはディスエーブルされる条件と、
目標移動局がイネーブルされる場合に、前記移動局で利用可能な特徴とを示し、前記有効性属性は要求するパーティーによって生成され、前記有効性属性は、前記移動局のユーザによって修正されあるいは削除されることができない、受け取り格納すること、
前記選択的な有効性属性が前記移動局へ成功裡にダウンロードされたかどうか示すメッセージをサーバへ送ることと
を備えるコンピュータにより実行される方法。
［１８］  前記移動局が前記選択的な有効性特徴において特定される速度より速く移動している間に、前記目標移動局で利用可能な特徴を制限することさらに備える［１７］の方法。
［１９］  選択的な有効性属性において特定される時限周期において移動局で利用可能な特徴を制限することさらに備える［１７］の方法。
［２０］  前記選択的な有効性属性を格納する前に認証情報を要求することをさらに備える［１７］の方法。
［２１］  遠隔通信システムからコンピュータサーバにアクセスする要求するパーティーを確証するための手段と、
前記要求するパーティーから目標移動局に対する選択的な有効性属性を受取るための手段であって、前記選択的な有効性属性は、目標移動局が操作することがイネーブルされたかあるいはディスエーブルされる条件と、前記目標移動局がイネーブルされる場合に複数の条件の下で目標移動局において利用可能な特徴とを示す、受取るための手段と、
前記目標移動局がいつ使用可能であるかを決定するための手段と、
前記目標移動局が操作可能である場合に、前記目標移動局へ前記選択的な有効性属性をダウンロードするための手段と
を備えるコンピュータサーバ。
［２２］  前記選択的な有効性属性が前記目標移動局へ成功裡にダウンロードされるかどうか示す第１のメッセージを前記目標移動局から受取るための手段と、
前記選択的な有効性属性が前記目標移動局へ成功裡にダウンロードされたかどうかを示す第２のメッセージを前記要求するパーティーへ送るための手段と
をさらに備える［２１］のコンピュータサーバ。
［２３］  前記要求するパーティーが前記目標移動局で現在ダウンロードされる前記選択的な有効性属性を見て修正することを可能にするための手段さらに備える［２１］のコンピュータサーバ。
［２４］  前記要求するパーティーに関連した複数の前記目標移動局を決定するための手段と、
前記要求するパーティーに関連した前記目標移動局のうちの１つを選択するオプションを示すための手段と、
前記要求するパーティーが目標移動局の複数の異なるもののための選択的な有効性属性の異なるセットを特定することを可能にするための手段と
を備える［２１］のコンピュータサーバ。
［２５］  前記選択的な有効性属性は前記目標移動局が特定される速度より速く移動している間に前記目標移動局で利用可能な特徴を制限することをさらに備える［２１］のコンピュータサーバ。
［２６］  前記選択的な有効性属性は特定される時間周期の間に前記目標移動局で利用可能な特徴を制限することをさらに備える［２１］のコンピュータサーバ。
［２７］  サーバから移動局の選択的な有効性属性を受取り格納するための手段であって、前記選択的な有効性は、前記移動局が操作することがイネーブルされるまたはディスエーブルされる示す条件と、前記目標移動局がイネーブルされる場合に複数の条件の下の前記移動局で利用可能な特徴を示す、受取り格納するための手段と、
前記選択的な有効性属性が前記移動局へ成功裡にダウンロードされたかどうか示すメッセージを前記サーバへ送るための手段と
を備える移動局。
［２８］  前記移動局が前記選択的な有効性特徴に基づいて特定される速度より速く移動している間に、目標移動局で利用可能な特徴を制限するための手段さらに備える［２７］の移動局。
［２９］  前記選択的な有効性属性に基づいて特定される時間周期に前記移動局で利用可能な特徴を制限するための手段さらに備える［２７］の移動局。
［３０］  前記選択的な有効性属性を格納する前に認証情報を要求するための手段さらに備える［２７］の移動局。
［３１］  モバイルデバイスの動きを検知するように構成された１つ以上の動きセンサと、
前記モバイルデバイスの検知された前記動きが、前記モバイルデバイスの１つ以上の機能のデバイス制御が開始されたことを示すかどうか決定する制御論理と、
前記移動局の検知された前記動きが、前記モバイルデバイスの１つ以上の機能のデバイス制御が開始されることになっていることを示す場合に、前記モバイルデバイスの１つ以上の機能の有効性を変更する制御論理と
を備えるモバイルデバイス。
［３２］  前記デバイス制御が開始され得る１つ以上の時間区間を示す期間制限情報を格納するメモリと、
現在時間が１つ以上の時間区間に含まれるかどうか決定するために前記現在時間を前記期間制限情報と比較する制御論理と
を備え、
そして、前記モバイルデバイスの１つ以上の機能の有効性の変更は、前記移動局の検知された前記動きが前記モバイルデバイスの１つ以上の機能のデバイス制御が始められることになっていることを示す場合に、および現在時間が１つ以上の時間区間に含まれている場合に、前記モバイルデバイスの前記１つ以上の機能の前記有効性を変更することをさらに備える、［３１］のモバイルデバイス。
［３３］  プロセッサをさらに備え、制御論理が、前記プロセッサによって実行され、コンピュータ可読媒体に格納される実行可能命令を備える、［３１］のモバイルデバイス。
［３４］  前記制御論理は、ハードウェアおよび／またはファームウェアにおいてインプリメントされる１つ以上のゲートを備える［３１］のモバイルデバイス。
［３５］  前記モバイルデバイスの１つ以上の機能の有効性を変更する前記制御論理は、ボイスメッセージ、テキストメッセージ、およびゲーム機能性から成るグループから選ばれた１つ以上の機能をディスエーブルするための制御論理を備える、［３１］のモバイルデバイス。
［３６］  モバイルデバイスを制御する方法であって、
前記モバイルデバイスとの通信の中で１つ以上の動きセンサを使用して、モバイルデバイスの動きを検知することと、
移動局の検知された前記動きが前記モバイルデバイスの１つ以上の機能のデバイス制御が開始されたことを示すかどうか決定することと、
前記移動局の検知された前記動きが前記モバイルデバイスの１つ以上の機能のデバイス制御が開始されたことを示す場合に、前記モバイルデバイスの１つ以上の機能の前記有効性を変更することと
を備える、方法。
［３７］  デバイス制御が開始され得る１つ以上の時間区間を示す期間制限情報を格納することと、
現在時間が１つ以上の時間区間に含まれるかどうか決定するために前記現在時間を前記期間制限情報と比較すること、
前記モバイルデバイスの前記１つ以上の機能の前記有効性を変更することは、前記移動局の検知された前記動きが、前記モバイルデバイスの１つ以上の機能のデバイス制御が開始されることになっていることを示す場合、および前記現在時間が１つ以上の時間区間に含まれている場合に、前記モバイルデバイスの前記１つ以上の機能の前記有効性を変更すること
を備える、［３６］の方法。
［３８］  前記モバイルデバイスの前記１つ以上の機能の前記有効性を変更することは、ボイスメッセージ、テキストメッセージおよびゲーム機能性から成るグループから選ばれた１つ以上の機能をディスエーブルすることを備える、［３６］の方法。
［３９］  モバイルデバイスの動きを検知するための手段と、
移動局の検知された前記動きが前記モバイルデバイスの１つ以上の機能のデバイス制御が開始されたことになっていることを示すかどうか決定するための手段と、
前記移動局の前記検知された動きが、前記モバイルデバイスの前記１つ以上の機能のデバイス制御が開始されることになっていることを示す場合、前記モバイルデバイスの前記１つ以上の機能の前記有効性を変更するための手段と
を備えるモバイルデバイス。
［４０］  デバイス制御が開始され得る１つ以上の時間区間を示す期間制限情報を格納するための手段と、
現在時間が１つ以上の時間区間に含まれるかどうか決定するために前記現在時間を前記期間制限情報と比較するための手段と
をさらに備え、
前記モバイルデバイスの１つ以上の機能の有効性を変更するための手段は、移動局の検知された前記動きが前記モバイルデバイスの１つ以上の機能のデバイス制御が開始されることになっていることを示す場合、および前記現在時間が１つ以上の時間区間に含まれている場合に、前記モバイルデバイスの前記１つ以上の機能の前記有効性を変更するための手段を備える、［３９］のモバイルデバイス。
［４１］  前記モバイルデバイスの前記１つ以上の機能の前記有効性を変更するための手段は、ボイスメッセージ、テキストメッセージ、およびゲーム機能性から成るグループから選ばれた１つ以上の機能をディスエーブルするための手段を備える、［３９］のモバイルデバイス。
［４２］  モバイルデバイスの検知された動きを示す動きセンサ情報を受取ることと、
移動局の検知された前記動きが前記モバイルデバイスの１つ以上の機能のデバイス制御が開始されたことを示すかどうかを動きセンサ情報から決定することと、
前記移動局の検知された前記動きが前記モバイルデバイスの１つ以上の機能のデバイス制御が開始されたことを示す場合に、前記モバイルデバイスの１つ以上の機能の前記有効性を変更することと
を備える操作がプロセッサによって実行された時に、１つ以上の機械に実行させ、それに格納された命令を含むコンピュータ可読媒体。
［４３］  デバイス制御が開始され得る１つ以上の時間区間を示す格納された期間制限情報へアクセスすること、
現在時間を示す現在時間情報へアクセスすること、
前記現在時間が１つ以上の時間区間に含まれるかどうか決定するために前記現在時間情報を前記期間制限情報と比較すること
を備え、
前記モバイルデバイスの前記１つ以上の機能の前記有効性を変更することは、前記移動局の検知された前記動きが前記モバイルデバイスの１つ以上の機能のデバイス制御が開始されることになっていることを示す場合、および前記現在時間が１つ以上の時間区間に含まれている場合に、前記モバイルデバイスの前記１つ以上の機能の前記有効性を変更する
こと
を前記操作が備える、［４２］のコンピュータ可読媒体。
［４４］  前記モバイルデバイスの前記１つ以上の機能の前記有効性を変更することは、ボイスメッセージ、テキストメッセージ、およびゲーム機能性から成るグループから選ばれた１つ以上の機能をディスエーブルするために使用される指標を生成することを備える［４２］の方法。
【手続補正書】
【提出日】平成26年2月6日(2014.2.6)
【手続補正１】
【補正対象書類名】特許請求の範囲
【補正対象項目名】全文
【補正方法】変更
【補正の内容】
【特許請求の範囲】
【請求項１】
複数の遠隔コンピュータシステムおよび目標移動局と通信するように構成されたコンピュータサーバを備え、ここで、前記コンピュータサーバが、メモリデバイスと前記メモリデバイスに埋め込まれたデータおよび論理命令にアクセスするように構成されるプロセッサとを含み、
ここで、前記論理命令は、
前記遠隔通信システムのうちの１つから前記コンピュータサーバにアクセスする、要求するパーティーを認証することと、
前記要求するパーティーから前記目標移動局の選択された１つについての、前記目標移動局によって操作がイネーブルされるあるいはディスエーブルされる条件、および前記目標移動局がイネーブルされる場合に、複数の条件の下で前記目標移動局において利用可能な特徴を示す選択的な有効性属性を受け取ることと、
前記目標移動局がいつ操作可能であるかを決定することと、
前記目標移動局が操作可能の場合に、前記目標移動局へ前記選択的な有効性属性をダウンロードすることと、
前記目標移動局の検知された条件が、ダウンロードされるような前記選択的な有効性属性の少なくとも１つに少なくとも部分的に基づく前記移動局の予想される条件に違反することを示す前記目標移動局からの通信を受取ることに応答して、前記要求するパーティーに警報メッセージを送ること
を前記プロセッサにさせる、
システム。
【請求項２】
前記論理命令は、
前記選択的な有効性属性が前記目標移動局の前記選択された１つに成功裡にダウンロードされるかどうか示す第１のメッセージを前記目標移動局から受け取ることと、
前記選択的な有効性属性が前記目標移動局の前記選択された１つに成功裡にダウンロードされたかどうか示す第２のメッセージを前記要求するパーティーへ送ることと
を前記プロセッサにさせる、
請求項１のシステム。
【請求項３】
前記論理命令は、
前記要求するパーティーが前記目標移動局の前記選択された１つに現在ダウンロードされた前記選択的な有効性属性を見て修正することを可能にすること
を前記プロセッサにさせる、
請求項１のシステム。
【請求項４】
前記論理命令は、
前記要求するパーティーに関連した複数の目標移動局を決定することと、
前記要求するパーティーに関連した前記目標移動局のうちの１つを選択するオプションを示すことと、
前記要求するパーティーが、複数の前記目標移動局の異なる選択的な有効性属性に対して選択的な有効性属性の異なるセットを特定することを可能にすることと
を前記プロセッサにさせる、
請求項１のシステム。
【請求項５】
前記目標移動局が、特定された速度より速く移動している間に、前記選択的な有効性属性は前記目標移動局で利用可能な特徴を制限する、請求項１のシステム。
【請求項６】
前記選択的な有効性属性が、特定される時間周期の間に前記目標移動局で利用可能な特徴を制限する、請求項１のシステム。
【請求項７】
プロセッサと、
中央のサーバから、移動局によって操作がイネーブルされるあるいはディスエーブルされる条件、および目標移動局がイネーブルされる場合に、複数の条件の下で前記移動局において利用可能な特徴を示す選択的な有効性属性を受け取り格納することと、
前記選択的な有効性属性が前記移動局へ成功裡にダウンロードされたかどうか示すメッセージを前記中央サーバへ送ることと、
前記目標移動局の検知された条件が、ダウンロードされるような前記選択的な有効性属性の少なくとも１つに少なくとも部分的に基づく前記移動局の予想される条件に違反することを示す前記中央サーバと通信すること
を前記プロセッサにさせるコード
を備えるコンピュータ可読媒体と
を備える移動局。
【請求項８】
前記コードが、さらに、
前記移動局が前記選択的な有効性属性において特定された速度より速く移動している間に、前記目標移動局で利用可能な特徴を制限すること
を前記プロセッサにさせる、
請求項７の移動局。
【請求項９】
前記コードが、さらに、
前記選択的な有効性属性において特定された期間の間に前記移動局で利用可能な特徴を制限すること
を前記プロセッサにさせる、
請求項７の移動局。
【請求項１０】
前記コードが、さらに、
前記選択的な有効性属性を格納する前に認証情報を要求すること
を前記プロセッサにさせる、
請求項７の移動局。
【請求項１１】
遠隔通信システムからコンピュータサーバにアクセスする、要求するパーティーを認証することと、
前記要求するパーティーから、目標移動局のための、前記目標移動局によって操作がイネーブルされるあるいはディスエーブルされる条件、および前記目標移動局がイネーブルされる場合に、複数の条件の下で前記目標移動局において利用可能な特徴を示す選択的な有効性属性を受取ることと、
前記目標移動局がいつ操作可能か決定することと、
前記目標移動局が操作可能の場合に、前記目標移動局へ前記選択的な有効性属性をダウンロードすることと、
前記目標移動局の検知された条件が、ダウンロードされるような前記選択的な有効性属性の少なくとも１つに少なくとも部分的に基づく前記移動局の予想される条件に違反することを示す前記目標移動局からの通信を受取ることに応答して、前記要求するパーティーに警報メッセージを送ること
を備えるコンピュータにより実行される方法。
【請求項１２】
前記選択的な有効性属性が前記目標移動局へ成功裡にダウンロードされるかどうか示す第１のメッセージを前記目標移動局から受け取ることと、
前記選択的な有効性属性が前記目標移動局へ成功裡にダウンロードされたかどうか示す第２のメッセージを前記要求するパーティーへ送ること
をさらに含む請求項１１の方法。
【請求項１３】
前記要求するパーティーが前記目標移動局で現在ダウンロードされる前記選択的な有効性属性を見て修正することを可能にすること
をさらに備える請求項１１の方法。
【請求項１４】
前記要求するパーティーに関連した複数の前記目標移動局を決定することと、
前記要求するパーティーに関連した前記目標移動局のうちの１つを選択するオプションを示すことと、
前記要求するパーティーが前記複数の前記目標移動局の異なる選択的な有効性属性に対して選択的な有効性属性の異なるセットを特定することを可能にすること
をさらに備える請求項１１の方法。
【請求項１５】
前記選択的な有効性属性が、前記目標移動局が特定された速度より速く移動している間に前記目標移動局で利用可能な特徴を制限する、
請求項１１の方法。
【請求項１６】
前記選択的な有効性属性が、特定される時間周期の間に前記目標移動局で利用可能な特徴を制限する、
請求項１１の方法。
【請求項１７】
移動局の、前記移動局によって操作がイネーブルされるあるいはディスエーブルされる条件と、目標移動局がイネーブルされる場合に、前記移動局で利用可能な特徴とを示し、要求するパーティーによって生成され、前記移動局の前記ユーザによって修正されあるいは削除されることができない、選択的な有効性属性を受け取り格納することと、
前記選択的な有効性属性が前記移動局へ成功裡にダウンロードされたかどうか示すメッセージをサーバへ送ることと、
前記目標移動局の検知された条件が、ダウンロードされるような前記選択的な有効性属性の少なくとも１つに少なくとも部分的に基づく前記移動局の予想される条件に違反することを示す前記サーバと通信すること
を備えるコンピュータにより実行される方法。
【請求項１８】
前記移動局が前記選択的な有効性特徴において特定される速度より速く移動している間に、前記目標移動局で利用可能な特徴を制限すること
をさらに備える請求項１７の方法。
【請求項１９】
前記選択的な有効性属性において特定される時限周期の間前記移動局で利用可能な特徴を制限すること
をさらに備える請求項１７の方法。
【請求項２０】
前記選択的な有効性属性を格納する前に認証情報を要求すること
をさらに備える請求項１７の方法。
【請求項２１】
遠隔通信システムからコンピュータサーバにアクセスする、要求するパーティーを認証するための手段と、
前記要求するパーティーから目標移動局に対する、前記目標移動局によって操作がイネーブルされるあるいはディスエーブルされる条件、および前記目標移動局がイネーブルされる場合に、複数の条件の下で前記目標移動局において利用可能な特徴を示す選択的な有効性属性を受取るための手段と、
前記目標移動局がいつ操作可能であるかを決定するための手段と、
前記目標移動局が操作可能である場合に、前記目標移動局へ前記選択的な有効性属性をダウンロードするための手段と、
前記目標移動局の検知された条件が、ダウンロードされるような前記選択的な有効性属性の少なくとも１つに少なくとも部分的に基づく前記移動局の予想される条件に違反することを示す、前記目標移動局からの通信を受取ることに応答して、前記要求するパーティーに警報メッセージを送るための手段と
を備えるコンピュータサーバ。
【請求項２２】
前記選択的な有効性属性が前記目標移動局へ成功裡にダウンロードされるかどうか示す第１のメッセージを前記目標移動局から受取るための手段と、
前記選択的な有効性属性が前記目標移動局へ成功裡にダウンロードされたかどうかを示す第２のメッセージを前記要求するパーティーへ送るための手段と
をさらに備える請求項２１のコンピュータサーバ。
【請求項２３】
前記要求するパーティーが前記目標移動局で現在ダウンロードされる前記選択的な有効性属性を見て修正することを可能にするための手段
をさらに備える請求項２１のコンピュータサーバ。
【請求項２４】
前記要求するパーティーに関連した複数の前記目標移動局を決定するための手段と、
前記要求するパーティーに関連した前記目標移動局のうちの１つを選択するオプションを示すための手段と、
前記要求するパーティーが複数の前記目標移動局の異なる選択的な有効性属性に対して選択的な有効性属性の異なるセットを特定することを可能にするための手段と
をさらに備える請求項２１のコンピュータサーバ。
【請求項２５】
前記選択的な有効性属性が、前記目標移動局が特定される速度より速く移動している間に前記目標移動局で利用可能な特徴を制限する、請求項２１のコンピュータサーバ。
【請求項２６】
前記選択的な有効性属性が、特定される時間周期の間に前記目標移動局で利用可能な特徴を制限する、請求項２１のコンピュータサーバ。
【請求項２７】
サーバから、移動局の、前記移動局によって操作がイネーブルされるあるいはディスエーブルされる条件、および前記目標移動局がイネーブルされる場合に、複数の条件の下で前記移動局において利用可能な特徴を示す選択的な有効性属性を受取り格納するための手段と、
前記選択的な有効性属性が前記移動局へ成功裡にダウンロードされたかどうか示すメッセージを前記サーバへ送るための手段と、
前記目標移動局の検知された条件が、ダウンロードされるような前記選択的な有効性属性の少なくとも１つに少なくとも部分的に基づく前記移動局の予想される条件に違反することを示す前記サーバと通信するための手段と
を備える移動局。
【請求項２８】
前記移動局が前記選択的な有効性特徴に基づいて特定される速度より速く移動している間に、目標移動局で利用可能な特徴を制限するための手段
をさらに備える請求項２７の移動局。
【請求項２９】
前記選択的な有効性属性に基づいて特定される時間周期の間に前記移動局で利用可能な特徴を制限するための手段をさらに備える請求項２７の移動局。
【請求項３０】
前記選択的な有効性属性を格納する前に認証情報を要求するための手段をさらに備える請求項２７の移動局。
【外国語明細書】
2014096826000001.pdf